(57)【要約】      （修正有）【課題】小ネギ等の蔬菜の低コスト生産を実現することのできる育苗移植用集合鉢体を提供する。【解決手段】上下が開放した断面四角形の開口を有する育苗室１ａが複数、それぞれ区画壁１ｂを介して一方向に連設されたプラスチック製の集合鉢体１であって、この集合鉢体は、方形の枠を有する育苗箱２の内辺の縦方向の長さと略同じ長さであり、育苗箱の内辺の横方向の長さの略整数分の一の幅であり、育苗室の内周面と内部の苗との間の摩擦の大きさが、育苗時には育苗室内に苗を留まらせ、移植時には苗の引き抜きの障害とならない程度とする。各育苗室に播種して発芽、育苗させ、一定の長さに生長したら、育苗箱から、集合鉢体を１つずつ取り出し、さらに各育苗室から苗を抜き取って移植する。集合鉢体はプラスチック製であるので、繰り返し使用できる。【選択図】図３
0003198973.tif 000002
【実用新案登録請求の範囲】
【請求項１】
上下が開放した断面四角形の開口を有する育苗室が複数、それぞれ区画壁を介して一方向に連設されたプラスチック製の育苗移植用集合鉢体であって、
当該育苗移植用集合鉢体は、方形の枠を有する育苗箱の内辺の縦方向の長さと略同じ長さであり、前記育苗箱の内辺の横方向の長さの略整数分の一の幅であり、前記育苗室の内周面と育苗室内部の苗との間の摩擦の大きさが、育苗時には育苗室内に苗を留まらせ、移植時には育苗室からの苗の引き抜きの障害とならない程度である、育苗移植用集合鉢体。
【請求項２】
前記育苗移植用集合鉢体は、播種、育苗時に、前記育苗箱の枠の内部に、幅方向に複数個敷き詰められて使用される請求項１記載の育苗移植用集合鉢体。
【請求項３】
前記育苗移植用集合鉢体は、移植時に、前記育苗箱の枠の内部から、苗の一列毎に分離して使用される請求項２記載の育苗移植用集合鉢体。
【請求項４】
前記プラスチックの材質は、廃プラスチックである請求項１〜３のいずれかの項に記載の育苗移植用集合鉢体。
【考案の詳細な説明】
【技術分野】
【０００１】
本考案は、小ネギや軟弱野菜、ミツバ、レタス、キャベツ白菜等の蔬菜の種から苗を集合して成長させるための育苗移植用集合鉢体に関する。
【背景技術】
【０００２】
小ネギ等の蔬菜の栽培に用いる育苗具としては、例えば特許文献１において提案されたものがある。この育苗具は、無蓋無底の紙製鉢体を多数連接集合した育苗移植集合鉢体である。これを用いた栽培方法は、各鉢体に５〜８粒の小ネギの種子を播種して所定日数育苗後、移植時には播種粒数に応じて、通常の播種間隔を乗じた間隔を株間間隔として植え付け、本圃の溝内へ植え付けるものである。この栽培方法は、苗を土に移植、定植するため、栽培できる季節がある程度限られてくる。
【０００３】
一方、小ネギの周年栽培を目的として、本圃に植え付ける土耕の代わりに、土を使用しない水耕栽培が注目されている。これに用いる育苗具の一例として、本考案者らが提案した特許文献２に記載された育苗移植用集合鉢体がある。これは、分離可能な個々の紙製の鉢体を多数、縦横整然と連接した集合鉢体である。これを用いて、小ネギ等の葉菜を、次の工程で栽培する。
【０００４】
すなわち、前記の集合鉢体を既定の育苗箱に装填して土（バーミキュライト）詰めするか又はせずに播種し前期育苗を行う一次育苗工程と、次いで一次育苗工程を行った集合鉢体苗を鉢体苗列に分離し、根の貫通のための多数の穴を底面に設けてある育苗トレイ上に、前記鉢体苗列を所定間隔を設けて載置し、鉢体苗列間には、発泡樹脂製角柱体を設置して水耕法により後期育苗を行う二次育苗工程と、次いで二次育苗工程を経た鉢体苗列を、個々の鉢体苗に分離し、水耕栽培床上に載置した合成樹脂板の所定間隔に設けられた植え付け穴に移植した後、水耕栽培する三次育成工程を行うことよりなる、育苗移植用集合鉢体による作物の栽培方法である。
【先行技術文献】
【特許文献】
【０００５】
【特許文献１】特開平４−３１１３０４号公報
【特許文献２】特開平７−３０８１２５号公報
【考案の概要】
【考案が解決しようとする課題】
【０００６】
前掲の特許文献２に記載された栽培方法に用いる紙製の育苗移植用集合鉢体は、ペーパーポットという商品名で、特許文献２の出願人の一人である日本甜菜製糖株式会社から市販されている。
【０００７】
しかし、この紙製の育苗移植用集合鉢体は、移植後、個々の鉢体に分離して使用し、さらに移植後、土中で鉢体の紙が分解するので、一度しか使うことができない。ネギ農家では、年間に何千本、何万本もネギを生産するので、栽培期ごとに育苗移植用集合鉢体を購入することは、経済的負担が大きく、小ネギの生産コストも高くなる。
【０００８】
そこで本考案は、小ネギ等の蔬菜の低コスト生産を実現することのできる育苗移植用集合鉢体を提供することを目的とする。
【課題を解決するための手段】
【０００９】
前記目的を達成するため、本考案は、上下が開放した断面四角形の開口を有する育苗室が複数、それぞれ区画壁を介して一方向に連設されたプラスチック製の育苗移植用集合鉢体であって、当該育苗移植用集合鉢体は、方形の枠を有する育苗箱の内辺の縦方向の長さと略同じ長さであり、前記育苗箱の内辺の横方向の長さの略整数分の一の幅であり、前記育苗室の内周面と育苗室内部の苗との間の摩擦の大きさが、育苗時には育苗室内に苗を留まらせ、移植時には育苗室からの苗の引き抜きの障害とならない程度であることを特徴とする。
【００１０】
前記育苗移植用集合鉢体は、播種、育苗時に、前記育苗箱の枠の内部に、幅方向に複数個敷き詰められて使用される。
また前記育苗移植用集合鉢体は、移植時に、前記育苗箱の枠の内部から、苗の一列毎に分離して使用される。
【００１１】
本考案においては、前記の構成の育苗移植用集合鉢体を、育苗箱に装填することにより、縦横多数の育苗室が、縦方向には分離できない状態に、幅方向には個々に分離できる状態に配列される。形成された縦横の各育苗室に、予め調整された土を詰め、次いで小ネギの種を例えば７〜８粒播種し、管理された環境に置いて発芽、育苗させる。所定の長さまで苗が生長したら、育苗移植用集合鉢体を一つずつ育苗箱から取り外す。各育苗移植用集合鉢体には、各育苗室内に根元が保持され、毛根が育苗室の下部開口から伸び出た状態の複数の苗が、一列に並んだ状態で苗が保持されている。各育苗室内の苗を単位として１つずつ育苗室内から取り外し、水耕栽培植付ベッドの培地に定植する。一列に並んだ状態で株元まで日光が当たるように列間隔を広めて、苗作りのための定植をすることにより、健苗として保持される。
【００１２】
複数の育苗室は縦方向にのみ連設され、幅方向には連設されておらず単数であるため、苗が幅方向に重なることがなく、育苗室からの苗の取り出しが容易である。
育苗室を区画している区画壁はプラスチックであり、また苗との摩擦の大きさが適度であるため、育苗時には苗を適度に保持し、移植時には育苗室から苗を容易に分離でき、さほど抵抗なく移植作業ができる。移植後の、空になった育苗移植用集合鉢体は、洗浄して何度でも使用することができる。
【００１３】
前記プラスチックの材質としては、製造原価を安くするため、廃プラスチックを用い、工場で、型枠で作るか、プレス加工で作ることができる。
【考案の効果】
【００１４】
本考案によれば、上下が開放した断面四角形の開口を有する育苗室が複数、それぞれ区画壁を介して一方向に連設されたプラスチック製の育苗移植用集合鉢体であって、育苗移植用集合鉢体は、方形の枠を有する育苗箱の内辺の縦方向の長さと略同じ長さであり、育苗箱の内辺の横方向の長さの略整数分の一の幅であり、苗室の内周面と育苗室内部の苗との間の摩擦の大きさが、育苗時には育苗室内に苗を留まらせ、移植時には育苗室からの苗の引き抜きの障害とならない程度である構成としたことにより、育苗室での苗の生長と移植時の育苗室からの苗の取り出しが容易であり、また何度でも繰り返し使用できるため、小ネギ等の蔬菜の低コスト生産を実現することができる。
【図面の簡単な説明】
【００１５】
【図１】本考案の実施の形態に係る育苗移植用集合鉢体を示す斜視図であり、（ａ）は上部から見た図、（ｂ）は底部から見た図である。
【図２】本考案の実施の形態に係る育苗移植用集合鉢体の部分拡大断面図である。
【図３】本考案の実施の形態に係る育苗移植用集合鉢体を育苗箱にセットした状態を示す斜視図である。
【図４】本考案の実施の形態に係る育苗移植用集合鉢体を用いた育苗工程を示す要部断面図である。
【図５】本考案の実施の形態に係る育苗移植用集合鉢体を用いて前期育苗を行った状態の斜視図である。
【図６】本考案の実施の形態に係る育苗移植用集合鉢体を用いて前期育苗を行った苗をばらして水耕栽培用ベッドの植え付け孔に挿入する前の状態を示す斜視図である。
【考案を実施するための形態】
【００１６】
以下、本考案の実施の形態を、図面を参照しながら具体的に説明する。
図１および図２に示すように、本考案の実施の形態に係る育苗移植用集合鉢体（以下、単に「集合鉢体」という。）１は、長手方向に沿って複数の区画壁１ｂによって区画された、上下開放の略正方形の開口の育苗室１ａを有する構成である。この鉢体１は、プラスチック製であり、例えば耐候性のポリエチレン、ポリプロピレン、あるいは廃プラスチックを成型あるいはプレス加工して製造することができる。鉢体１は、本例では、３８個の育苗室１ａを有しており、各育苗室１ａの開口は小ネギの育苗用として約１５ｍｍ四角、高さ約１５ｍｍ、底部１ｃの穴１ｄの径９ｍｍとしているが、育苗する植物の種類によっては、この寸法は変わる。育苗室１ａの内周面と育苗室１ａ内部の苗との間の摩擦の大きさは、育苗時には育苗室１ａ内に苗を留まらせ、移植時には育苗室１ａからの苗の引き抜きの障害とならない程度とする。これには、プラスチックの材質を適切に選ぶか、摩擦係数が小さなプラスチックの場合は、育苗室１ａの内周面の粗さを変えることにより、摩擦の大きさを適正にする。
【００１７】
図３は、前述の集合鉢体１を複数並べて装填した育苗箱２を示している。本例では、集合鉢体１を１８列、幅方向に装填して、縦３８×横１８＝６８４個の育苗室１ａが形成されるようにしている。育苗箱２の底部には、水抜き穴が空いている。
【００１８】
上記の集合鉢体１および育苗箱２を用いた育苗工程を、次に説明する。
まず、図４（ａ）に示すように、育苗箱２に集合鉢体１を充填する。
次に、図４（ｂ）に示すように、育苗室１ａの内部に土（バーミキュライト）３を詰め、続いて、図４（ｃ）に示すように種４を５〜８個、播種する。これには、既存の播種装置を用いることができる。
【００１９】
播種が完了したら、温度、湿度、日照等を適度に管理し、発芽および前期育苗を行う。小ネギの場合、約４週間で、移植できる長さに生長する。
【００２０】
発芽１０日目で第１回移植をし、約４週間目で定植ができる。
前期育苗が完了したら、育苗箱２から集合鉢体１を個別に分離して取り出す。この取り出した状態を図５に示す。このように、小ネギの根の部分が集合鉢体１の育苗室１ａに保持され、その上に茎の部分が成長し、毛根は集合鉢体１の下部に伸びた状態となっている。
【００２１】
次に、集合鉢苗１のぞれぞれの列を、小ネギ水耕のベッドに、間に所定の間隔を設けて載置し、発泡樹脂製角柱体を設置して水耕法により後期育苗を行う。
【００２２】
次に、図６に示すように、育苗室１ａから取り出した苗を単位として、水耕栽培床上に載置した合成樹脂の定植パネル１０に所定間隔で設けられた植付孔１０ａに定植し、収穫期まで栽培する。
【実施例】
【００２３】
以上の本考案の実施の形態の集合鉢体１を用いて小ネギを栽培したところ、従来の同サイズのペーパーポット（登録商標）と比較して、苗の生育状況には変わりはなかった。
一方、従来の紙製のペーパーポットは小ネギの収穫時には分解して消滅したが、本考案の集合鉢体１は原型を保っており、繰り返し使用が可能であった。また、苗の取り出しも、苗の根元の部分と育苗室の区画壁との間の摩擦が小さいため、紙製の場合よりも作業性が向上した。
【産業上の利用可能性】
【００２４】
本考案は、小ネギ等の蔬菜の低コスト生産を実現することのできる育苗移植用集合鉢体として、小ネギ等の育苗に好適に利用することができる。
【符号の説明】
【００２５】
１  集合鉢体
１ａ  育苗室
１ｂ  区画壁
１ｃ  底部
１ｄ  穴
２  育苗箱
３  土（バーミキュライト）
４  種
１０  定植パネル
１０ａ  植付孔
【図１】
0003198973.tif 000003
【図２】
0003198973.tif 000004
【図３】
0003198973.tif 000005
【図４】
0003198973.tif 000006
【図５】
0003198973.tif 000007
【図６】
0003198973.tif 000008